(57)【要約】【課題】  挿入された記録媒体を受け入れて支持するハウジングと、挿入された記録媒体の端子と電気的に接続するコンタクト部とを備えた記録媒体用コネクタにおいて、記録媒体が本来正規とされる姿勢に対して裏向きの姿勢で挿入されても記録媒体が損傷を受ける虞のない記録媒体用コネクタを提供する。【解決手段】  ハウジング１ａは、記録媒体５０が端子５１を表向き姿勢と裏向き姿勢のいずれで挿入されても支持可能に設けられており、コンタクト部として、記録媒体５０が表向き姿勢で挿入された時に端子５１と接続する第１コンタクト部４と、記録媒体が前記裏向き姿勢で挿入された時に端子５１と接続する第２コンタクト部５とを設けた。【選択図】        図１
2005243489.tif 000002
【特許請求の範囲】
【請求項１】
挿入された記録媒体を受け入れて支持するハウジングと、挿入された記録媒体の端子と電気的に接続するコンタクト部とを備えた記録媒体用コネクタであって、
前記ハウジングは、記録媒体が前記端子を下方に向けた表向き姿勢と前記端子を上方に向けた裏向き姿勢とのいずれで挿入されても受け入れて支持可能に設けられており、前記コンタクト部として、記録媒体が前記表向き姿勢で挿入された時に前記端子と接続する第１コンタクト部と、記録媒体が前記裏向き姿勢で挿入された時に前記端子と接続する第２コンタクト部とを備えている記録媒体用コネクタ。
【請求項２】
一度目の記録媒体の押し込み操作に基づいて記録媒体を前記端子と前記コンタクト部とが接続された挿入状態にロックし、二度目の記録媒体の押し込み操作に基づいて記録媒体を取り出し可能な排出状態まで排出するロック／排出機構が、記録媒体の表裏いずれの挿入姿勢でも機能するように、記録媒体の左右両側面に設けられた一対の被係止部に対応して前記ハウジングの両側部に設けられている請求項１に記載の記録媒体用コネクタ。
【請求項３】
前記ロック／排出機構は、記録媒体の側面に設けられた被係止部と係止可能で、係止された記録媒体を前記挿入状態に配置するロック位置と、記録媒体を前記排出状態に配置するイジェクト位置との間で移動可能なスライダ、前記一度目の押し込み操作に応じて前記スライダを前記ロック位置にロックするロック機構、及び、前記二度目の押し込み操作に応じて前記スライダを前記イジェクト位置に押出す付勢手段を備え、前記付勢手段による前記スライダの前記押出し操作では、左右一対の前記付勢手段が前記スライダを介して記録媒体を排出する請求項２に記載の記録媒体用コネクタ。
【請求項４】
前記ロック／排出機構は、記録媒体の側面に設けられた被係止部と係止可能で、係止された記録媒体を前記挿入状態に配置するロック位置と、記録媒体を前記排出状態に配置するイジェクト位置との間で移動可能なスライダ、前記一度目の押し込み操作に応じて前記スライダを前記ロック位置にロックするロック機構、及び、前記二度目の押し込み操作に応じて前記スライダを前記イジェクト位置に押出す付勢手段を備え、前記排出状態では、左右一対のスライダが記録媒体の両側面に設けられた各々の前記被係止部と係止した状態が得られる請求項２に記載の記録媒体用コネクタ。
【請求項５】
一度目の記録媒体の押し込み操作に基づいて、左右一対の前記スライダの一方のみが前記ロック位置にロックされる請求項３又は４に記載の記録媒体用コネクタ。
【発明の詳細な説明】
【技術分野】
【０００１】
本発明は、挿入された記録媒体を受け入れるハウジングと、挿入された記録媒体の端子と電気的に接続するコンタクト部とを備えた記録媒体用コネクタに関する。
【背景技術】
【０００２】
この種の記録媒体用コネクタとしては、本発明に関連する先行技術文献として下記に示す特許文献１の発明が知られている。この特許文献１に記された記録媒体用コネクタでは、ハウジング内部の上面にコンタクト部が設けられており、記録媒体としてＩＣカードを端子が上方を向いた表向き姿勢（正規の状態）で挿入した場合は、ＩＣカードはハウジングの一番奥の挿入位置に装着され、コンタクト部と端子との電気的接続が得られるが、ＩＣカードを後ろ向きで挿入したり、端子が下方を向いた裏向き姿勢で挿入した場合は、ＩＣカードが挿入位置に装着されることを阻止する挿入阻止部材（リブ）がハウジング内に設けられており、これによって、正規の姿勢以外での誤挿入を防止している。
【特許文献１】特開２００３−３１２８６号公報（段落番号００２３、図２）
【発明の開示】
【発明が解決しようとする課題】
【０００３】
しかし、特許文献１の記録媒体用コネクタでは、記録媒体が正規の姿勢以外の姿勢で過度の押し込み力で挿入されると、記録媒体が挿入阻止部材によって損傷を受ける虞があり、このような損傷を受けた記録媒体を再度正規の姿勢で記録媒体用コネクタに挿入した場合、接触不良や排出不良などの重大な問題が発生する可能性があった。
【０００４】
したがって、本発明の目的は、上に例示した従来技術による記録媒体用コネクタの持つ前述した欠点に鑑み、記録媒体が本来正規とされる姿勢に対して裏向きの姿勢で挿入されても記録媒体が損傷を受ける虞のない記録媒体用コネクタを提供することにある。
【課題を解決するための手段】
【０００５】
上記の目的を達成するために、本発明の第１の特徴構成は、
挿入された記録媒体を受け入れて支持するハウジングと、挿入された記録媒体の端子と電気的に接続するコンタクト部とを備えた記録媒体用コネクタであって、
前記ハウジングは、記録媒体が前記端子を下方に向けた表向き姿勢と前記端子を上方に向けた裏向き姿勢とのいずれで挿入されても受け入れて支持可能に設けられており、前記コンタクト部として、記録媒体が前記表向き姿勢で挿入された時に前記端子と接続する第１コンタクト部と、記録媒体が前記裏向き姿勢で挿入された時に前記端子と接続する第２コンタクト部とを備えている点にある。
このような特徴構成を備えているので、本発明の第１の特徴構成を備えた記録媒体用コネクタでは、
記録媒体が表向き姿勢と裏向き姿勢とのいずれで挿入されてもハウジングに受け入れ支持されるので、記録媒体が裏向き姿勢での挿入を阻止する阻止部材などによって損傷を受ける虞がなく、しかも、前記いずれの姿勢で挿入されても、記録媒体の端子は第１と第２のいずれかのコンタクト部と電気的に接続されるので、使用者は記録媒体を記録媒体用コネクタに装着する際に、記録媒体の表裏について全く意に介さずに挿入し、記録媒体を有効に利用することができる。また、記録媒体用コネクタを取り付けた機器（携帯電話など）の側にも記録媒体の挿入姿勢を使用者に指示する表示などを設ける必要がなくなり、機器の外観も向上する。
【０００６】
さらに、一度目の記録媒体の押し込み操作に基づいて記録媒体を前記端子と前記コンタクト部とが接続された挿入状態にロックし、二度目の記録媒体の押し込み操作に基づいて記録媒体を取り出し可能な排出状態まで排出するロック／排出機構が、記録媒体の表裏いずれの挿入姿勢でも機能するように、記録媒体の左右両側面に設けられた一対の被係止部に対応して前記ハウジングの両側部に設けられている構成とすることができる。
このような構成とすれば、記録媒体の押し込み操作のみで装着と排出の両操作がなされる利便性の高いロック／排出機構を、記録媒体が表向き姿勢と裏向き姿勢とのいずれで挿入されても有効に使うことができる。
【０００７】
また、前記ロック／排出機構は、記録媒体の側面に設けられた被係止部と係止可能で、係止された記録媒体を前記挿入状態に配置するロック位置と、記録媒体を前記排出状態に配置するイジェクト位置との間で移動可能なスライダ、前記一度目の押し込み操作に応じて前記スライダを前記ロック位置にロックするロック機構、及び、前記二度目の押し込み操作に応じて前記スライダを前記イジェクト位置に押出す付勢手段を備え、前記付勢手段による前記スライダの前記押出し操作では、左右一対の前記付勢手段が前記スライダを介して記録媒体を排出する構成とすることができる。
このような構成とすれば、二度目の押し込み操作によって記録媒体が排出状態まで排出される際に、左右一対の付勢手段から記録媒体に対して排出の操作力が加えられ、記録媒体に対して左右均等な排出操作力が働くので、記録媒体が排出途中で傾斜することなく真っ直ぐに排出され、同時に、左右に設けられた個々の付勢手段の付勢力を左右の一方に設けられた付勢手段から排出の操作力が加えられる構成に比して小さく設定することができる。記録媒体が真っ直ぐに排出されるという効果は、後述する、記録媒体の両側面の各被係止部が左右一対のスライダと係止した状態へと記録媒体を確実に導くという二次的な効果をも奏する。また、記録媒体を押し込み操作する際にも左右一対の付勢手段に抗して押し込み操作するので、記録媒体が真っ直ぐに正しい姿勢で押し込まれ易い。
【０００８】
さらに、前記ロック／排出機構は、記録媒体の側面に設けられた被係止部と係止可能で、係止された記録媒体を前記挿入状態に配置するロック位置と、記録媒体を前記排出状態に配置するイジェクト位置との間で移動可能なスライダ、前記一度目の押し込み操作に応じて前記スライダを前記ロック位置にロックするロック機構、及び、前記二度目の押し込み操作に応じて前記スライダを前記イジェクト位置に押出す付勢手段を備え、前記排出状態では、左右一対のスライダが記録媒体の両側面に設けられた各々の前記被係止部と係止した状態が得られる構成とすることができる。
このような構成とすれば、二度目の押し込み操作によって記録媒体が排出状態まで排出された時、左右一対のスライダが記録媒体の両側面に設けられた各々の被係止部と係止しているので、左右の一方に設けられたスライダが記録媒体の一方の側面の被係止部と係止する構成に比して記録媒体を排出状態に保持する保持力が高まり、その結果、記録媒体がスライダによる係止状態を超えて記録媒体用コネクタから飛び出してしまう可能性をより確実に抑制することができる。
【０００９】
特に、一度目の記録媒体の押し込み操作に基づいて、左右一対の前記スライダの一方のみが前記ロック位置にロックされる構成とすることができる。
このような構成とすれば、スライダがロック位置にロックされている状態で記録媒体に二度目の押し込み操作を加えた際に、左右一対のスライダの双方がロック位置にロックされている構成と比べて、より確実に次の排出操作が行われる。すなわち、左右一対のスライダの双方がロック位置にロックされている構成として記録媒体用コネクタを設計した場合には、左右に設けられたロック／排出機構の精度不足によって、もしも、一方のスライダのみがロック位置にロックされた状態が現出された場合、記録媒体に二度目の押し込み操作を加えた際に、他方のスライダがロック位置にロックされるために、記録媒体が排出されないという事態が発生する虞がある。
【００１０】
本発明によるその他の特徴および利点は、以下図面を用いた実施形態の説明により明らかになるであろう。
【発明を実施するための最良の形態】
【００１１】
図１は、本発明の一実施形態としてのカードコネクタ１（記録媒体用コネクタの一例）と、このカードコネクタ１に装着されるメモリーカード５０（記録媒体の一例）を示す。ここには、説明のための便宜上、表向き姿勢に配置したメモリーカード５０（図の左側）と、裏向き姿勢に配置したメモリーカード５０（図の右側）とが同時に示されている。
メモリーカード５０の裏面の先端側には１１個の端子５１が設けられている。また、メモリーカード５０の外形輪郭を表面側から見ると、その側の左側の側部は台形状に切り欠かれており、その結果、右側の側面は先端の端面５０ａに対して直角に延びた一本の直線状辺５０ｂからなるが、左側の側面は、端面５０ａに対して直角に延びた先端側の第１直線状辺５０ｃ、第１直線状辺５０ｃから斜め後方に延びた第２直線状辺５０ｄ、及び、第２直線状辺５０ｄから端面５０ａに対して直角に延びた第３直線状辺５０ｅからなる。そして、メモリーカード５０の表面側にはその左右の側面に、一対の係止凹部５２ａ，５２ｂ（被係止部の一例）と、一対の被接当部５３ａ，５３ｂが設けられている。一対の係止凹部５２ａ，５２ｂは、それぞれ右側の直線状辺５０ｂと左側の第３直線状辺５０ｅとに位置し、先端の端面５０ａからは等しい距離に位置する。しかし、一対の被接当部５３ａ，５３ｂについては、前述したように左側の側部が台形状に切り欠かれているために、メモリーカード５０を表面側から見た時、左側の第２被接当部５３ｂは右側の第１被接当部５３ａに比して数ｍｍだけメモリーカード５０の基端側に変位して配置されている。
【００１２】
カードコネクタ１は、合成樹脂製のボディ２と、ボディ２に対して連結された金属製のケース３とを有する。ボディ２とケース３とは、挿入されたメモリーカード５０を受け入れて支持するハウジング１ａを構成している。ボディ２の後端には、挿入されたメモリーカード５０の端子５１と電気的に接続するコンタクト部４，５が設けられている。
このカードコネクタ１の一番大きな特徴は、ハウジング１ａが、メモリーカード５０を端子５１が下向きの表向き姿勢と端子５１が上向きの裏向き姿勢とのいずれで挿入しても、これを受け入れて支持可能である点と、図２に示すように、前記コンタクト部として、メモリーカード５０が表向き（ノーマル）姿勢で挿入された時に端子５１と接続する第１コンタクト部４と、メモリーカード５０が裏向き（リバース）姿勢で挿入された時に端子５１と接続する第２コンタクト部５とを別々に備えている点である。このために、ボディ２の後端には、第１コンタクト部４を構成する１１個のノーマルコンタクト４ａと、第２コンタクト部５を構成する１１個のリバースコンタクト５ａとが押し嵌めによって取り付けられている（図２を参照のこと）。
【００１３】
図２と図３に示すように、ボディ２の左右の側面付近には、後述するスライダ１０，１１を摺動自在に受け入れるスライド溝２ａが形成されている。また、ボディ２の後端の左右端部付近には、金属板の板金加工によって形成したストッパ部材７ａ，７ｂ（図５は左側用のストッパ部材７ｂを示す）が押し嵌めによって取り付けられ、ストッパ部材７ａ，７ｂに設けられたバネ支持部７ｃが夫々、左右のスライド溝２ａ内に延びている。
また、左右のスライド溝２ａ内には、スライダ１０，１１がカードコネクタ１の前後方向に摺動自在に装着されている。右側のスライダ１０と左側のスライダ１１は、互いに異なる形状を有するが、後述する接当部１０ｂ，１１ｂの配置レベルが異なる点を除けば、カードコネクタ１の左右の中心を基準に左右対称の形状を呈している。スライダ１０，１１は、合成樹脂の一体成形で形成されており、スライド溝２ａ内を前後方向に摺動移動するスライダ本体１０ａ，１１ａを有する。スライダ本体１０ａ，１１ａにおける前後方向の中心付近には、内側に向いて設けられた接当部１０ｂ，１１ｂが設けてあり、接当部１０ｂ，１１ｂの近傍から前端向きに延びた弾性片１０ｃ，１１ｃの先端には爪部１０ｄ，１１ｄが形成されている。接当部１０ｂ，１１ｂは、メモリーカード５０の第１と第２被接当部５３ａ，５３ｂに対応して設けられており、爪部１０ｄ，１１ｄは、メモリーカード５０の係止凹部５２ａ，５２ｂに対応して設けられている。
【００１４】
また、スライダ１０，１１には、ハートカム１０ｅ，１１ｅと呼ばれる上向きのカム溝が形成されている。ハートカム１０ｅ，１１ｅの形状と機能の詳細については後述する。また、ボディ２の各スライド溝２ａの前端付近には、スライダ１０，１１の移動方向に沿って延びたフックピン１３の下向きの一端１３ａがほぼ垂直な軸芯回りで枢支連結されている（図３を参照のこと）。フックピン１３のやはり下向きの他端は、ハートカム１０ｅ，１１ｅのカム溝に従って左右に移動する倣い軸１３ｂの役目を果たしており、ケース３に板金加工で形成されたバネ板部３ｇによって、ハートカム１０ｅ，１１ｅを構成するカム溝の内のいずれかの箇所に押付けられている。
そして、ストッパ部材７ａ，７ｂの各バネ支持部７ｃにはコイルバネ１５（付勢手段の一例）が外嵌支持されており、このコイルバネ１５は、スライダ１０，１１の端面１０ｆ，１１ｆをストッパ部材７ａ，７ｂの基端部から離間させる方向の付勢力を発揮している。スライダ１０，１１は、メモリーカード５０を装着する際の押し込み操作に基づいて、スライド溝２ａの前端と接当した位置（図３に示す状態）と、スライド溝２ａの後端と近接した位置（図７などに示す状態）との間でスライド溝２ａ内を摺動移動する。尚、スライダ１０，１１のストッパ部材７ａ，７ｂと対向する端面１０ｆ，１１ｆには、ストッパ部材７ａ，７ｂの先端とコイルバネ１５の一部とを受け入れる孔（不図示）が形成されている。
【００１５】
ハートカム１０ｅ，１１ｅは、互いに異なる形状を有するが、カードコネクタ１の左右の中心を基準に左右対称の形状を呈しているので、右側のスライダ１０のハートカム１０ｅについてのみ説明する。図１１に示すように、ハートカム１０ｅは、上方に突出した突起部２０の周囲にハート形状を呈するように形成された一連のカム溝２１を有する。カム溝は、メモリーカード５０が挿入されていない時、すなわち、スライダ１０がスライド溝２ａの前端の初期位置（後述するイジェクト位置と一致する）にある時にフックピン１３の倣い軸１３ｂが位置する待機レーン２１ａと、ユーザーによるメモリーカード５０の一度目の押し込み操作に応じて倣い軸１３ｂを待機レーン２１ａから待機レーン２１ａと反対側の第１死点Ｓ１まで案内する挿入レーン２１ｂと、ユーザーがメモリーカード５０の一度目の押し込み力を緩めた時に倣い軸１３ｂを第１死点Ｓ１から突起部２０の一端に凹部状に形成されたロック凹部Ｓ２（ロック機構の一例）まで案内するロックレーン２１ｃと、ユーザーによるメモリーカード５０の二度目の押し込み操作に応じて倣い軸１３ｂをロック凹部Ｓ２から待機レーン２１ａと反対側の第２死点Ｓ３まで案内する離脱レーン２１ｄと、ユーザーがメモリーカード５０の二度目の押し込み力を緩めた時に倣い軸１３ｂを第２死点Ｓ３から待機レーン２１ａへと復帰させるイジェクトレーン２１ｅとからなる。
【００１６】
尚、挿入レーン２１ｂとイジェクトレーン２１ｅとの間には、一度目の押し込み操作に応じて倣い軸１３ｂがイジェクトレーン２１ｅに進入するのを阻止する縦壁ｗ１が形成されており、挿入レーン２１ｂとロックレーン２１ｃとの間には、ユーザーがメモリーカード５０の一度目の押し込み力を緩めた時に倣い軸１３ｂが挿入レーン２１ｂに戻ることを阻止する縦壁ｗ２が形成されており、ロックレーン２１ｃと離脱レーン２１ｄとの間には、ユーザーによるメモリーカード５０の二度目の押し込み操作に際して倣い軸１３ｂが第１死点Ｓ１に戻ることを阻止する縦壁ｗ３が形成されており、離脱レーン２１ｄとイジェクトレーン２１ｅとの間には、ユーザーがメモリーカード５０の二度目の押し込み力を緩めた時に倣い軸１３ｂが離脱レーン２１ｄに戻ることを阻止する縦壁ｗ４が形成されている。
ハートカム１０ｅ，１１ｅとフックピン１３とコイルバネ１５とは、一度目のメモリーカード５０の押し込み操作に基づいてメモリーカード５０を端子５１とコンタクト部４（または５）とが接続された挿入状態にロックし、二度目のメモリーカード５０の押し込み操作に基づいてメモリーカード５０を取り出し可能な排出状態まで排出するロック／排出機構を構成している。
【００１７】
（表向き挿入時の作用）
メモリーカード５０を挿入する前の状態では、外力が何も作用していないので、左右のスライダ１０，１１はいずれもスライド溝２ａの前端の初期位置（イジェクト位置）にあり、フックピン１３の倣い軸１３ｂは待機レーン２１ａに位置する。
次に、図６に示すように、メモリーカード５０を表向きにした状態でカードコネクタ１のハウジング１ａ内に挿入すると、先ず、左右のスライダ１０，１１の弾性片１０ｃ，１１ｃの外向きの弾性変形を経て、右側の弾性片１０ｃの爪部１０ｄがメモリーカード５０の右の係止凹部５２ａ内に係入し、同時に、左側の弾性片１１ｃの爪部１１ｄがメモリーカード５０の左の係止凹部５２ｂ内に係入する（初期状態）。この状態では、左右のスライダ１０，１１はいずれも未だスライド溝２ａの前端の初期位置にある。
【００１８】
この状態からユーザーがメモリーカード５０に対して一度目の押し込み操作を行うと、図１０（イ）からも理解されるように、メモリーカード５０の右側に位置する第１被接当部５３ａが右側のスライダ１０の接当部１０ｂと接当することで、スライダ１０がコイルバネ１５の付勢力に抗してスライド溝２ａ内で押し込み操作され、同時に、右側のスライダ１０のフックピン１３の倣い軸１３ｂは待機レーン２１ａから挿入レーン２１ｂに進入する。メモリーカード５０が最も奥まで押し込まれ、ハウジング１ａの内面後端に接当すると、フックピン１３の倣い軸１３ｂは第１死点Ｓ１に案内される。
ユーザーがメモリーカード５０の一度目の押し込み力を緩めると、図７（イ）に示すように、コイルバネ１５の付勢力によってメモリーカード５０はスライダ１０と共に僅かにカードコネクタ１の前端側に押し戻され、同時に、スライダ１０のフックピン１３の倣い軸１３ｂはコイルバネ１５の付勢力によってロック凹部Ｓ２に押付けられて同箇所にロックされ（この時、スライダ１０もロック位置にある）、メモリーカード５０は、メモリーカード５０の下面に位置する端子５１が第１コンタクト部４と電気的に接続した挿入状態にロックされる（第２コンタクト部５は使用されない）。
【００１９】
尚、メモリーカード５０の一度目の押し込み操作に際して、メモリーカード５０の左側に位置する第２被接当部５３ｂも左側のスライダ１１の接当部１１ｂと接当はするが、第２被接当部５３ｂは第１被接当部５３ａに対して変位配置されているので、この接当は、メモリーカード５０の右側の第１被接当部５３ａとスライダ１０との接当に比して若干遅れて実行され、その結果、左側のフックピン１３の倣い軸１３ｂは、スライダ１１のハートカム１１ｅの挿入レーン２１ｂには進入しても、第１死点Ｓ１には到達しないために、ロック凹部Ｓ２にも進まず、ユーザーがメモリーカード５０の一度目の押し込み力を緩めると、そのまま挿入レーン２１ｂ上に保持される。すなわち、一度目の押し込み操作に基づいて、左側のスライダ１１はロックされない。また、第２被接当部５３ｂは第１被接当部５３ａに対して変位配置されているので、メモリーカード５０の一度目の押し込み操作に際して、左側のスライダ１１はこの変位量と同じ長さだけメモリーカード５０に対してカードコネクタ１の前端側に「ずれ」を起こすため、図７（イ）に示されるように、左側の爪部１１ｄはメモリーカード５０の係止凹部５２ｂから抜け出している。
【００２０】
次に、ユーザーがメモリーカード５０に対して二度目の押し込み操作を行うと、図７（ロ）に示すように、右側のスライダ１０のフックピン１３の倣い軸１３ｂがロック凹部Ｓ２を抜け出して第２死点Ｓ３に達する。そして、二度目の押し込み力を緩めると、倣い軸１３ｂは第２死点Ｓ３からイジェクトレーン２１ｅに進入し、最終的に待機レーン２１ａに戻り、これと殆ど同時に、左側のスライダ１１のフックピン１３の倣い軸１３ｂは、挿入レーン２１ｂ上をそのまま待機レーン２１ａまで戻る。これに応じて、左右のスライダ１０，１１は各コイルバネ１５の付勢力によってイジェクト位置（初期位置）まで真っ直ぐに押出される。この左側のスライダ１１のイジェクト位置への復帰の最終過程で、左側の爪部１１ｄもメモリーカード５０の係止凹部５２ｂに再び係入するので、メモリーカード５０は左右のスライダ１０，１１の爪部１０ｄ，１１ｄによって左右均等に係止された状態で、ユーザーが指で取り出し可能な排出状態まで排出され、図６の状態に戻る。
【００２１】
（裏向き挿入時の作用）
メモリーカード５０を裏向きで挿入する際の作用は、一度目の押し込み操作によってメモリーカード５０の端子５１がハウジング１ａ内の上方に設けられた第２コンタクト部５と電気的に接続した挿入状態にロックされる点と、一度目の押し込み操作に基づいて、左側のスライダ１１がロックされ、右側のスライダ１０はロックされない点とを除けば、前述した表向きで挿入する際の作用と基本的に同じである。
すなわち、図８に示すように、メモリーカード５０を裏向きにした状態でカードコネクタ１のハウジング１ａ内に挿入すると、先ず、左右のスライダ１０，１１の弾性片１０ｃ，１１ｃの外向きの弾性変形を経て、右側の弾性片１０ｃの爪部１０ｄがメモリーカード５０の右の係止凹部５２ｂ内に係入し、左側の弾性片１１ｃの爪部１１ｄがメモリーカード５０の左の係止凹部５２ａ内に係入する（初期状態）。この状態では、左右のスライダ１０，１１は未だいずれもスライド溝２ａの前端の初期位置（イジェクト位置）にある。
【００２２】
この状態からユーザーがメモリーカード５０に対して一度目の押し込み操作を行うと、図１０（ロ）からも理解されるように、メモリーカード５０の左側に位置する第１被接当部５３ａが左側のスライダ１１の接当部１１ｂと接当し、スライダ１１がコイルバネ１５の付勢力に抗してスライド溝２ａ内で押し込み操作され、同時に、スライダ１１のフックピン１３の倣い軸１３ｂは待機レーン２１ａから挿入レーン２１ｂに進入する。メモリーカード５０が最も奥まで押し込まれ、ハウジング１ａの内面後端に接当すると、フックピン１３の倣い軸１３ｂは第１死点Ｓ１に案内される。
ユーザーがメモリーカード５０の一度目の押し込み力を緩めると、図９（イ）に示すように、コイルバネ１５の付勢力によってメモリーカード５０はスライダ１１と共に僅かにカードコネクタ１の前端側に押し戻され、同時に、スライダ１１のフックピン１３の倣い軸１３ｂはコイルバネ１５の付勢力によってロック凹部Ｓ２に押付けられて同箇所にロックされ（この時、スライダ１１もロック位置にある）、メモリーカード５０は、メモリーカード５０の上面に位置する端子５１が第２コンタクト部５と電気的に接続した挿入状態にロックされる（第１コンタクト部４は使用されない）。
【００２３】
尚、メモリーカード５０の一度目の押し込み操作に際して、メモリーカード５０の右側に位置する第２被接当部５３ｂも右側のスライダ１０の接当部１０ｂと接当はするが、この接当はメモリーカード５０の左側の第１被接当部５３ａとスライダ１１との接当に比して若干遅れて実行され、その結果、右側のフックピン１３の倣い軸１３ｂは、スライダ１０のハートカム１１ｅの挿入レーン２１ｂには進入しても、第１死点Ｓ１には到達しないために、ロック凹部Ｓ２にも進まず、ユーザーがメモリーカード５０の一度目の押し込み力を緩めると、そのまま挿入レーン２１ｂ上に保持される。すなわち、表向き挿入時と異なり、裏向き挿入時には、一度目の押し込み操作に基づいて、右側のスライダ１０はロックされない。また、第２被接当部５３ｂは第１被接当部５３ａに対して変位配置されているので、メモリーカード５０の一度目の押し込み操作に際して、右側のスライダ１０はこの変位量と同じ長さだけメモリーカード５０に対してカードコネクタ１の前端側に「ずれ」を起こすため、図９（イ）に示されるように、右側の爪部１０ｄはメモリーカード５０の係止凹部５２ｂから抜け出している。
【００２４】
次に、ユーザーがメモリーカード５０に対して二度目の押し込み操作を行うと、図９（ロ）及び図１１に示すように、左側のスライダ１１のフックピン１３の倣い軸１３ｂがロック凹部Ｓ２を抜け出して第２死点Ｓ３に達し、二度目の押し込み力を緩めると、倣い軸１３ｂは第２死点Ｓ３からイジェクトレーン２１ｅに進入し、最終的に待機レーン２１ａに戻り、これと殆ど同時に、右側のスライダ１０のフックピン１３の倣い軸１３ｂは、挿入レーン２１ｂ上をそのまま待機レーン２１ａまで戻る。これに応じて、左右のスライダ１０，１１は各コイルバネ１５の付勢力によってイジェクト位置（初期位置）まで真っ直ぐに押出される。この右側のスライダ１０のイジェクト位置への復帰の最終過程で、右側の爪部１１ｄもメモリーカード５０の係止凹部５２ｂに再び係入するので、メモリーカード５０は左右のスライダ１０，１１の爪部１０ｄ，１１ｄによって左右均等に係止された状態で、ユーザーが指で取り出し可能な排出状態まで排出され、図８の状態に戻る。
【００２５】
（組立ての手順）
図２に示すように、ケース３は、概して板状のケース本体３ａと、ケース本体３ａの側面から直角に下方に延びたケース側部３ｂとからなり、ケース本体３ａの後端の左右端部付近には、断面が概してＳ字状の一対の嵌合爪３ｃが下方に突出するように形成されており、嵌合爪３ｃの更に外側には、前後方向に延びた一対の短いスリット３ｄが形成されている。また、ケース側部３ｂには複数の矩形の貫通孔３ｆが形成されており、ケース側部３ｂの前端の左右端部付近からは、細板状の係止突起３ｅがケース３の中央部に向かって水平に延びている。
【００２６】
ボディ２の後端の左右端部付近には、ケース３の嵌合爪３ｃを受け入れるための切り欠き２Ｂ、ストッパ部材７ａ，７ｂの基端部（基端部には爪状の上端７ｄが形成されている）を受け入れるためのスリット２Ｃが形成されている。また、ボディ２の前端の左右端部付近には、ケース３の係止突起３ｅを受け入れる係止凹部２Ｄが形成されており、ボディ２の両側面には、ケース３の貫通孔３ｆ内に嵌まり込む複数の突起２Ｅが形成されている。さらに、図４に示すように、ボディ２の後端の端面には、各ノーマルコンタクト４ａを係止する１１個のコンタクト係止部２Ｆ、各リバースコンタクト５ａを係止する１１個の係止部２Ｇ、及び、ストッパ部材７ａ，７ｂを係止する一対のストッパ係止部２Ｈとが形成されている。
【００２７】
カードコネクタ１の組立ては、例えば次のような方法で実施することができる。先ず、１１個のノーマルコンタクト４ａをボディ２の各コンタクト係止部２Ｆに、そして、１１個のリバースコンタクト５ａを同じくボディ２の各コンタクト係止部２Ｇにそれぞれボディ２の後端側から押し嵌めする。次に、各スライダ１０，１１をボディ２の左右のスライド溝２ａに装着し、引き続き、フックピン１３をボディ２とスライダ１０，１１との間に装着する。これには、フックピン１３の一端１３ａがボディ２の各スライド溝２ａの前端に枢支連結され、フックピン１３の他端１３ｂがスライダ１０，１１のハートカム１０ｅ，１１ｅの待機レーン２１ａに位置するように装着すれば良い。
【００２８】
次にケース３をボディ２に固定するが、これは次のような方法で実施される。先ず、ケース３の係止突起３ｅがボディ２の前端よりも僅かに前方寄りに変位した状態でケース３をボディ２の上に被せる。次に、ケース本体３ａをボディ２の上面に押付けながら、ケース３をボディ２に対してボディ２の後端向きに相対移動させると、ケース３の係止突起３ｅがボディ２の係止凹部２Ｄと係止され、同時に、ケース３の嵌合爪３ｃがボディ２の切り欠き２Ｂに嵌まり込み、ケース３のボディ２に対する固定が完了する。
【００２９】
そして、各コイルバネ１５を、ボディ２の後端のストッパ係止部２Ｈに形成された丸い貫通孔（図４を参照）を介して、ボディ２の後端側からスライド溝２ａ内に挿入すると、コイルバネ１５の一端がスライダ１０，１１の端面１０ｆ，１１ｆの前記孔内に挿通される。次に、ストッパ部材７ａ，７ｂのバネ支持部７ｃ（図５を参照）をストッパ係止部２Ｈの前記貫通孔に挿通し、最後に、ストッパ部材７ａ，７ｂの爪状の上端７ｄがケース３のスリット３ｄ内に進入するように、ストッパ部材７ａ，７ｂの基端部をストッパ係止部２Ｈに押し嵌めする。
【００３０】
このストッパ部材７ａ，７ｂの爪状の上端７ｄとケース３のスリット３ｄとの間の係止に基づいて、ケース３のボディ２に対する抜け止め固定と、ストッパ部材７ａ，７ｂのボディ２に対する抜け止め固定とが同時に完了することになる。この固定が完了すると、ケース３の左右のバネ板部３ｇがフックピン１３の前記他端付近を下向きに弾性的に押さえ付け、その結果、フックピン１３の倣い軸１３ｂは、ハートカム１０ｅ，１１ｅの待機レーン２１ａに押付けられる。
【図面の簡単な説明】
【００３１】
【図１】カードコネクタとメモリーカードを示す斜視図
【図２】カードコネクタの分解斜視図
【図３】カードコネクタのボディに取り付けられた状態の各部品を示す斜視図
【図４】各部品を取り付ける前のボディを斜め後方から見た斜視図
【図５】一方のストッパ部材の斜視図
【図６】メモリーカード（表向き）が初期位置（イジェクト位置）にある時の平面図
【図７】メモリーカード（表向き）に押し込み操作を加えた時の作用を示す平面図
【図８】メモリーカード（裏向き）が初期位置（イジェクト位置）にある時の平面図
【図９】メモリーカード（裏向き）に押し込み操作を加えた時の作用を示す平面図
【図１０】メモリーカードに押し込み操作を加えている時の状態を示す正面図
【図１１】ハートカムの作用を示す平面図
【符号の説明】
【００３２】
１  カードコネクタ（記録媒体用コネクタ）
１ａ  ハウジング
４  第１コンタクト部
５  第２コンタクト部
１０，１１  スライダ
１０ｂ，１１ｂ  接当部
１０ｄ，１１ｄ  爪部
１０ｅ，１１ｅ  ハートカム（ロック／排出機構）
Ｓ２  ロック凹部（ロック機構）
１３  フックピン（ロック／排出機構、ロック機構）
１５  コイルバネ（ロック／排出機構、付勢手段）
５０  メモリーカード（記録媒体）
５１  端子
５２ａ，５２ｂ  係止凹部（被係止部）
５３ａ，５３ｂ  被接当部
【図１】
2005243489.tif 000003
【図２】
2005243489.tif 000004
【図３】
2005243489.tif 000005
【図４】
2005243489.tif 000006
【図５】
2005243489.tif 000007
【図６】
2005243489.tif 000008
【図７】
2005243489.tif 000009
【図８】
2005243489.tif 000010
【図９】
2005243489.tif 000011
【図１０】
2005243489.tif 000012
【図１１】
2005243489.tif 000013